(57)【要約】【課題】回転ドラムの開口から内部の汚水が漏れ出ても、汚水がドラム外面に付着しないようにして悪臭の発生を未然に防止する。【解決手段】回転ドラム２の側壁構成部材２０の略中央に案内部材３の配設口２０ａを形成し、該側壁構成部材２０の外周にモータにより駆動される従動スプロケット１５を設ける。案内部材３の外周と側壁構成部材２０内面の配設口２０ａ近傍との間からの汚水漏れを抑制するシール部材３０を案内部材３外周に固定する。シール部材３０と側壁構成部材２０との間から汚水が漏れた場合に、該汚水が回転ドラム２外面に付着するのを防止する汚水付着防止部材３２を配設口２０ａ周縁に配設する。該汚水付着防止部材３２を、配設口２０ａ周縁から回転ドラム２外側へ延びる第１板状部３３と、該第１板状部３３の先端から回転ドラム２の径方向内側へ延びる第２板状部３４とから構成する。【選択図】      図１
2004231314.tif 000002
【特許請求の範囲】
【請求項１】
架台に回転可能に支持された塵芥貯留用の回転ドラムと、前記架台に固定され、前記回転ドラムの回転中心線方向一側に形成された開口から回転ドラム内部に挿入されて塵芥を該回転ドラム内部へ導く筒状の案内部材とを備え、該案内部材外周縁と前記回転ドラムの開口周縁との間にシール部材を介在させてなる塵芥貯留装置であって、
前記回転ドラムの開口周縁には、該回転ドラムから漏れた汚水が回転ドラム外面に付着するのを防止する汚水付着防止部材が設けられていることを特徴とする塵芥貯留装置。
【請求項２】
請求項１において、
汚水付着防止部材は、回転ドラムの開口周縁から該回転ドラム内側へ突出する第１突出部を有することを特徴とする塵芥貯留装置。
【請求項３】
請求項１において、
汚水付着防止部材は、回転ドラムの開口周縁から該回転ドラム外側へ延びる第１板状部と、該第１板状部の先端側から回転ドラムの径方向内側へ延びる第２板状部とからなることを特徴とする塵芥貯留装置。
【請求項４】
請求項１において、
汚水付着防止部材は、回転ドラムの開口周縁から該回転ドラム外側へ延びる第１板状部を備え、
前記第１板状部は、回転ドラムの径方向外側へ突出する第２突出部を有することを特徴とする塵芥貯留装置。
【請求項５】
請求項３又は４において、
回転ドラムを駆動する駆動手段が架台に設けられ、
前記駆動手段の駆動力を受ける被駆動部が前記回転ドラムの回転中心線方向一側の外周近傍に設けられ、
第１板状部は、前記被駆動部よりも回転ドラム外側へ延びていることを特徴とする塵芥貯留装置。
【発明の詳細な説明】
【０００１】
【発明の属する技術分野】
本発明は、例えば市場等で排出された塵芥を塵芥回収車により回収するまで一時的に貯留しておくための塵芥貯留装置に関する。
【０００２】
【従来の技術】
従来より、この種の塵芥貯留装置として、投入された塵芥を塵芥貯留用の回転ドラム内部へ導くための筒状案内部材が該回転ドラムの回転中心線方向一側に配設され、案内部材内部の塵芥の堆積量が設定量に達したときに回転ドラムを回転させて、その塵芥を回転ドラムの回転中心線方向他側へ圧縮しながら移送するように構成されたものが知られている（例えば、特許文献１参照。）。
【０００３】
前記特許文献１の塵芥貯留装置では、案内部材が回転ドラムとは別体とされて、該回転ドラムの回転中心線方向一側に形成された開口から回転ドラム内部に挿入された状態で架台に固定されている。また、この塵芥貯留装置では、案内部材外周縁と回転ドラム内面との間にシール部材を介在させて回転ドラム内部から汚水が漏れ出すのを防止している。
【０００４】
【特許文献１】
実公平６―４３０４１号公報（第２頁、第３頁、第１図、第３図）
【０００５】
【発明が解決しようとする課題】
しかしながら、前記特許文献１の塵芥貯留装置では、長期間使用している間にシール部材が摩耗したり劣化してシール機能が低下した場合や、水分の多い塵芥を貯留した場合には、汚水が回転ドラムから漏れ出してドラム外面に付着し、悪臭が発生することになる。
【０００６】
本発明は斯かる点に鑑みてなされたものであり、その目的とするところは、回転ドラムから汚水が漏れてもドラム外面に付着しないようにして悪臭の発生を未然に防止することにある。
【０００７】
【課題を解決するための手段】
前記目的を達成するために、本発明では、回転ドラムの開口周縁に汚水付着防止部材を設けた。
【０００８】
具体的には、請求項１の発明では、架台に回転可能に支持された塵芥貯留用の回転ドラムと、前記架台に固定され、前記回転ドラムの回転中心線方向一側に形成された開口から回転ドラム内部に挿入されて塵芥を該回転ドラム内部へ導く筒状の案内部材とを備え、該案内部材外周縁と前記回転ドラムの開口周縁との間にシール部材を介在させてなる塵芥貯留装置を対象とする。
【０００９】
そして、前記回転ドラムの開口周縁には、該回転ドラムから漏れた汚水が回転ドラム外面に付着するのを防止する汚水付着防止部材を設ける構成とする。
【００１０】
この構成によれば、回転ドラム内部に溜まった汚水が開口から漏れ出た場合に、汚水付着防止部材によりその汚水がドラム外面に付着するのが防止されるので、悪臭の発生が未然に防止される。
【００１１】
請求項２の発明では、請求項１の発明において、汚水付着防止部材は、回転ドラムの開口周縁から該回転ドラム内側へ突出する第１突出部を有する構成とする。
【００１２】
この構成によれば、例えば回転ドラムの回転中に、汚水が回転ドラム内面を伝わって該回転ドラムの開口周縁へ流れても、第１突出部によりその汚水の流れが堰き止められて回転ドラムの開口から外側へ流れるのが防止される。
【００１３】
請求項３の発明では、請求項１の発明において、汚水付着防止部材は、回転ドラムの開口周縁から該回転ドラム外側へ延びる第１板状部と、該第１板状部の先端側から回転ドラムの径方向内側へ延びる第２板状部とからなる構成とする。
【００１４】
この構成によれば、漏れ出た汚水が第１板状部により回転ドラム外側へ導かれた後、第２板状部によりその流れが止められる。この際、前記汚水の漏れ量が多いと該汚水が第２板状部を超えて流れる虞れがあるが、その第２板状部が第１板状部先端側に設けられていて回転ドラム外面よりも外側へ離れているので、前記汚水が回転ドラム外面へ付着するのが防止される。
【００１５】
請求項４の発明では、請求項１の発明において、汚水付着防止部材は、回転ドラムの開口周縁から該回転ドラム外側へ延びる第１板状部を備え、該第１板状部は、回転ドラムの径方向外側へ突出する第２突出部を有する構成とする。
【００１６】
この構成によれば、汚水の漏れ量が多く該汚水が開口から第１板状部へ流れた場合に、該汚水が第２突出部により回転ドラムの径方向外側へ導かれる。これにより、汚水が第１板状部を伝わって回転ドラム外面へ流れず、該回転ドラム外面への汚水の付着がより確実に防止される。
【００１７】
請求項５の発明では、請求項３又は４の発明において、回転ドラムを駆動する駆動手段を架台に設け、該駆動手段の駆動力を受ける被駆動部を前記回転ドラムの回転中心線方向一側の外周近傍に設け、第１板状部は、前記被駆動部よりも回転ドラム外側へ延びている構成とする。
【００１８】
この構成によれば、漏れ出た汚水が第１板状部により被駆動部よりも回転ドラム外側へ導かれるので、その汚水が第２板状部を超えて流れても被駆動部に付着しない。これにより、例えば、駆動手段としてチェーン駆動を用いる場合では、被駆動部としてのスプロケットやチェーンの錆が未然に防止されてそれらの耐久性低下が回避される。
【００１９】
【発明の実施の形態】
以下、本発明の実施形態を図面に基づいて説明する。
【００２０】
図２は、本発明の実施形態に係る塵芥貯留装置１を示し、この塵芥貯留装置１は、例えば卸売市場の敷地内に据え付けられ、該卸売市場から排出される多量の塵芥を塵芥回収車Ｙにより回収されるまでの間、一時的に貯留するためのものである。
【００２１】
塵芥貯留装置１は、塵芥貯留用の樽型回転ドラム２と、該回転ドラム２の回転中心線方向一側である塵芥投入側に配設されて、投入された塵芥を回転ドラム２内部へ導く筒状の案内部材３とを備えている。
【００２２】
回転ドラム２は、その回転中心線が略水平に延びるように向けられた状態で架台４に支持されていて、該架台４は、地面Ｇに沿って略水平に延びる下側フレーム５と、該下側フレーム５の塵芥投入側端部及び排出側端部にそれぞれ立設される門型の投入側フレーム６及び排出側フレーム７とからなる。前記下側フレーム５には、回転ドラム２の塵芥投入側及び排出側をその回転中心線周りに回転可能に支持するローラ８，９がそれぞれ配設されている。
【００２３】
また、この塵芥貯留装置１では、回転ドラム２を駆動する駆動手段としてチェーン駆動機構が用いられている。このチェーン駆動機構は、図３にも示すように、下側フレーム５の塵芥投入側に取り付けられた減速機１２及びモータ１３と、該減速機１２の出力軸に固定された駆動スプロケット１１とから構成されている。一方、前記回転ドラム２の塵芥投入側には、前記駆動スプロケット１１に対応する被駆動部としての従動スプロケット１５が設けられ、これら駆動スプロケット１１及び従動スプロケット１５にチェーン１６が巻き掛けられ、モータ１３の動力が回転ドラム２に伝達されて該回転ドラム２が回転する。
【００２４】
前記回転ドラム２は、全体が断面円形に、かつ回転中心線方向両端側へ行くほどその断面積がそれぞれ縮小するように形成され、回転ドラム周壁２ａの塵芥投入側の端部には、この回転ドラム２の塵芥投入側の壁部を構成する円環状の側壁構成部材２０が溶接されている。該側壁構成部材２０の回転ドラム２内面は略鉛直に延び、その中央部分には、前記案内部材３配設用の円形の配設口２０ａが、前記回転ドラム２の回転中心線と同心上に形成されている。図１に示すように、該配設口２０ａの周縁は、回転ドラム周壁２ａの塵芥投入側端部よりも該回転ドラム２の径方向内側に位置付けられている。また、前記側壁構成部材２０の外周には、前記従動スプロケット１５が一体に設けられ、該従動スプロケット１５は、回転ドラム周壁２ａの塵芥投入側端部よりも回転ドラム２の径方向外側へ突出している。
【００２５】
前記案内部材３は、図２に示すように、回転ドラム２の周壁２ａ内面の下端近傍から前記側壁構成部材２０の配設口２０ａよりも回転ドラム２外側へ突出して上方へ向けて直線状に延び、その長手方向中間部分が前記投入側フレーム６に固定されている。
【００２６】
案内部材３の塵芥投入側端部には、塵芥投入口３ａが略水平に形成され、該塵芥投入口３ａには、例えば上下に延びる塵芥導入ダクト２１の下端が接続されるようになっている。また、案内部材３の周壁３ｂ下面には、この案内部材３の塵芥投入口３ａ側から側壁構成部材２０の配設口２０ａ近傍まで延びる補強リブ２２が突設され、一方、案内部材３の周壁３ｂ側面には、着脱自在の蓋２３により開閉される点検口３ｄが形成されている。
【００２７】
前記案内部材３の回転ドラム２内側の端部には、この案内部材３内部と回転ドラム２内部とを連通させる連通口３ｃが形成されている。これにより、案内部材３の塵芥投入口３ａから投入された塵芥は、連通口３ｃを通って回転ドラム周壁２ａ内面に落下して案内部材３内部に次第に堆積するようになる。この案内部材３内部に堆積した塵芥量は、該案内部材３の周壁３ｂ側面に配設された塵芥量検出センサ２４により検出されるようになっている。
【００２８】
前記回転ドラム２の周壁２ａ内面には、前記案内部材３内部に堆積した塵芥を塵芥排出側に移送するための螺旋状の羽根２６が取り付けられている。そして、この塵芥貯留装置１には図示しない制御手段が設けられており、該制御手段は、前記塵芥量検出センサ２４により案内部材３内部の塵芥量が設定量に達したことが検出されると、前記モータ１３を作動させて回転ドラム２を回転させるように構成されている。この回転ドラム２の回転により前記羽根２６が回転し、塵芥が回転ドラム２の塵芥排出側へ圧送されて圧縮された状態で貯留される。
【００２９】
図１に示すように、前記案内部材３外周と、回転ドラム２内面の配設口２０ａ近傍との間には、前記の如く回転ドラム２に圧縮貯留された塵芥からの汚水が回転ドラム２外側に漏れるのを抑制する硬質ゴム製の円環状シール部材３０が配設されている。前記案内部材周壁３ｂの配設口２０ａ対応箇所は略水平に延び、その外周面は配設口２０ａ周縁よりも回転ドラム２の径方向内側に位置付けられ、両者の間には隙間３１が形成されている。
【００３０】
前記シール部材３０は、その内周面形状が案内部材３の外周面形状と略同一に形成され、該案内部材３外周の前記配設口２０ａよりも回転ドラム２内側に固定されている。このシール部材３０の外周面には、前記側壁構成部材２０の内面に接するシール部３０ａが突設され、該シール部３０ａは、先端側へ行くほど薄肉に形成され、かつ、側壁構成部材２０に接近する側に傾斜して延び、その先端側が所定の荷重で側壁構成部材２０内面に圧接するようになっている。
【００３１】
また、前記側壁構成部材２０の配設口２０ａ周縁には、本発明の特徴として、前記シール部材３０と側壁構成部材２０内面との間から内部の汚水が漏れた場合に、該汚水が回転ドラム２外面に付着するのを防止する鋼板製の汚水付着防止部材３２が配設されている。該汚水付着防止部材３２は、配設口２０ａ周縁から回転ドラム２外側へ延びる第１板状部３３と、該第１板状部３３の先端側から回転ドラム２の径方向内側へ延びる第２板状部３４とからなる。
【００３２】
前記第１板状部３３は、配設口２０ａの全周に亘りかつ前記回転ドラム２の回転中心線方向に延びる円筒状に形成され、その先端側は、前記従動スプロケット１５よりも回転ドラム２外側まで延びるとともに、この第１板状部３３の回転ドラム２内側には、前記配設口２０ａよりも回転ドラム２内側へ突出する第１突出部３３ａが形成されている。一方、第２板状部３４は、略鉛直に延びる円環平板状に形成され、該第２板状部３４には、第１板状部３３よりも回転ドラム２の径方向外側へ突出する第２突出部３４ａが形成されている。
【００３３】
また、この塵芥貯留装置１には、回転ドラム２内部の汚水が前記案内部材３と配設口２０ａとの隙間３１から漏れて架台４に流れ落ちるようになった場合に、該汚水を受けて周辺に拡がるのを防止する第１〜第４汚水受け部材３５〜３８が設けられている。
【００３４】
図３に示すように、塵芥貯留装置１を塵芥投入側から見て、下側フレーム５の中央部には第１汚水受け部材３５が配設され、該第１汚水受け部材３５は、図１にも示すように、上側全体が開口したコ字状断面を有しかつ図３の左右方向に延びるチャンネル状に形成されている。この第１汚水受け部材３５の開口３５ａは、汚水付着防止部材３２の第２板状部３４の直下方に位置付けられている。さらに、この第１汚水受け部材３５の底壁の長手方向中央部には、そこから下方へ延びるドレン管４０が設けられており、図示しない排水パイプが接続されるようになっている。
【００３５】
前記第１汚水受け部材３５の上方左側（図３の左側）には、該第１汚水受け部材３５と同様に左右に延びる第２汚水受け部材３６が配設されている。図４（ａ）にも示すように、第２汚水受け部材３６の上側には、上方から流れ落ちる汚水を該第２汚水受け部材３６の開口３６ａへ導く傾斜部３６ｂが形成されている。
この第２汚水受け部材３６は、下側フレーム５の上面に取り付けられており、該第２汚水受け部材３６の左端部は、前記駆動スプロケット１５よりも左側へ突出する一方、右端部は、前記第１汚水受け部材３５の開口３５ａ直上方に位置している。この第２汚水受け部材３６は、その右端部が左端部よりも下側に位置するように傾斜している。
【００３６】
前記第２汚水受け部材３６の直上方には、図４（ｂ）に示すように、右側全体が開口したチャンネル状の第３汚水受け部材３７が配設されている。該第３汚水受け部材３７は、その開口３７ａが第２板状部３４の外縁に近接するように位置付けられ、前記投入側フレーム６の左側縦部材６ａに取り付けられている。第３汚水受け部材３７は、左側縦部材６ａの上下方向略中央から鉛直下側へ延びた後、第２板状部３４の外形に沿うように右側へ折り曲げられている。
【００３７】
この塵芥貯留装置１の右側（図３の右側）には、第４汚水受け部材３８が配設されている。該第４汚水受け部材３８は、前記第３汚水受け部材３７と同様な断面形状を有し、その開口３８ａが第２板状部３４の外縁に近接するように位置付けられ、前記投入側フレーム６の右側縦部材６ｂに取り付けられている。第４汚水受け部材３８の上端は、前記第３汚水受け部材３７上端と略同じ高さに位置付けられ、そこから鉛直下側へ延びた後、第２板状部３４の外形に沿うように左側へ折り曲げられて、その下端が第１汚水受け部材３５の開口３５ａ直上方まで延びている。
【００３８】
一方、この塵芥貯留装置１の塵芥排出構造については、図２に示すように、前記回転ドラム２の塵芥排出側が架台４の排出側フレーム７よりも外側へ突出していて、その端面に、塵芥排出口が形成されている。該塵芥排出口は、開閉シリンダ４１に連結された排出蓋４２により開閉されるようになっている。
【００３９】
前記排出側フレーム７の下端部には、前記塵芥排出口から排出された塵芥を塵芥回収車Ｙへ搬送するためのベルトコンベア４３が配設され、該ベルトコンベア４３の側方には、塵芥を塵芥排出口から塵芥回収車Ｙへ案内するガイド板４４が配設されている。そして、塵芥排出の際には、前記制御手段によりベルトコンベア４３を作動させるとともに、塵芥排出口を開放して回転ドラム２を回転させ、塵芥を外側へ排出して前記ベルトコンベア４３により塵芥回収車Ｙへ搬送する。
そして、搬送が終了するとベルトコンベア４３及び回転ドラム２を停止させて排出蓋４２により塵芥排出口を閉じる。
【００４０】
以上のように構成された塵芥貯留装置１では、塵芥を回転ドラム２内部に圧縮状態で貯留すると、該塵芥からの汚水が回転ドラム周壁２ａ内面の下端側に溜まるので、この汚水が側壁構成部材２０の配設口２０ａから漏れ出すのをシール部材３０により防止するようにしている。そして、この際、塵芥に含まれる水分が多い場合や、この塵芥貯留装置１を長期間使用してシール部材３０のシール機能が低下した場合には、汚水がシール部材３０と回転ドラム２内面との間から漏れ出すことがある。これに対し、この実施形態では、前記配設口２０ａ周縁に第１板状部３３と第２板状部３４とからなる汚水付着防止部材３２を配設したので、汚水が第１板状部３３により回転ドラム２外側へ導かれた後、第２板状部３４によりその流れが止められる。これにより、回転ドラム２外面及び従動スプロケット１５への汚水の付着を防止でき、よって、悪臭の発生を防止できるとともに、各スプロケット１１，１５やチェーン１６の錆が未然に防止されてそれらの耐久性の低下を回避できる。
【００４１】
また、シール部材３０と回転ドラム２との間からの汚水の漏れ量が多く該汚水が第２板状部３４を超えて外側へ流れるようになった場合に、第１板状部３３が従動スプロケット１５よりも回転ドラム２外側へ延びていて、その先端に第２板状部３４が配設されているので、前記汚水が従動スプロケット１５に付着するのを防止できる。
【００４２】
この際、第２板状部３４を超えて流れた汚水は、第２突出部３４ａにより第１板状部３３よりも回転ドラム２の径方向外側へ導かれるので、該汚水が第１板状部３３を伝わって回転ドラム２外面へ流れるようになることはなく、このことにより、回転ドラム２外面及び従動スプロケット１５に汚水が付着するのをより確実に防止できる。
【００４３】
また、第１板状部３３に第１突出部３３ａが形成されているので、例えば回転ドラム２の回転中に、汚水が側壁構成部材２０内面を伝わって配設口２０ａ周縁に流れた場合に、その汚水が前記第１突出部３３ａにより堰き止められて配設口２０ａから回転ドラム２外側へ流れるのを防止できる。
【００４４】
さらに、前述の如く汚水が第２板状部３４を超えて流れた場合には、該汚水が第２板状部３４の第２突出部３４ａを伝わって、第１〜第４汚水受け部材３５〜３８に流れ落ちる。このとき、第２〜第４汚水受け部材３６〜３８の汚水は、第１汚水受け部材３５に集合した後、ドレン管４０より排出され、よって、汚水が架台４周辺に拡がるのを防止できる。
【００４５】
尚、この実施形態では、回転ドラム２をスプロケット１１，１５及びチェーン１６により駆動するようにしているが、これに限らず、図示しないが、例えば歯車を用いて駆動するようにしてもよい。
【００４６】
また、この実施形態では、第２突出部３４ａを第２板状部３４に形成しているが、これに限らず、第２板状部３４を省略して、第２突出部を第１板状部３３の先端側から回転ドラム２の径方向外側へ突出するように形成してもよい。これにより、汚水が回転ドラム２の配設口２０ａから第１板状部３３へ流れた場合に、第２突出部により回転ドラム２の径方向外側へ導かれ、よって、回転ドラム２外面及び従動スプロケット１５に汚水が付着するのを防止できる。
【００４７】
【発明の効果】
以上説明したように、請求項１の発明に係る塵芥貯留装置によると、回転ドラムの開口周縁に該回転ドラムから漏れた汚水が回転ドラム外面に付着するのを防止する汚水付着防止部材を設けたので、回転ドラム内部に溜まった汚水が開口から漏れ出た場合に、その汚水がドラム外面に付着するのを防止できて、悪臭の発生を未然に防止できる。
【００４８】
請求項２記載の発明によると、汚水付着防止部材が回転ドラムの開口周縁から該回転ドラム内側へ突出する第１突出部を有するので、回転ドラムから漏れ出た汚水が回転ドラム内面を伝わって該回転ドラムの開口周縁へ流れても、その汚水を第１突出部により堰き止めることができ、よって、汚水が回転ドラムの開口から外側へ流れるのを防止できる。
【００４９】
請求項３記載の発明によると、汚水付着防止部材を、回転ドラムの開口周縁から外側へ延びる第１板状部と、該第１板状部の先端側から回転ドラムの径方向内側へ延びる第２板状部とからなるものとしたので、回転ドラムからの汚水の漏れ量が多い場合でも、該汚水がドラム外面へ付着するのを防止できる。
【００５０】
請求項４記載の発明によると、汚水付着防止部材が回転ドラムの開口周縁から外側へ延びる第１板状部を備え、該第１板状部が回転ドラムの径方向外側へ突出する第２突出部を有するので、汚水が回転ドラムの開口から第１板状部へ流れた場合に、該汚水が回転ドラム外面へ流れず、該回転ドラム外面へ付着するのをより確実に防止できる。
【００５１】
請求項５記載の発明によると、回転ドラムを駆動する駆動手段の駆動力を受ける被駆動部を回転ドラムの回転中心線方向一側の外周近傍に設け、第１板状部が前記被駆動部よりも回転ドラム外側へ延びているので、回転ドラムから漏れ出た汚水が被駆動部に付着せず、これにより、例えば、回転ドラムをチェーン駆動する場合には、スプロケットやチェーンの耐久性低下を回避できる。
【図面の簡単な説明】
【図１】案内部材を取り付けた状態の図３におけるＡ−Ａ線断面に相当する図である。
【図２】塵芥貯留装置の概略構成を示す側面図である。
【図３】塵芥貯留装置の案内部材を省略した状態を塵芥投入側から見た正面図である。
【図４】（ａ）は第２汚水受け部材の断面図であり、（ｂ）は第３汚水受け部材の断面図である。
【符号の説明】
１      塵芥貯留装置
２      回転ドラム
３      案内部材
４      架台
１１    駆動スプロケット
１２    減速機
１３    モータ
１５    従動スプロケット（被駆動部）
２０ａ  配設口
３０    シール部材
３２    汚水付着防止部材
３３    第１板状部
３３ａ  第１突出部
３４    第２板状部
３４ａ  第２突出部
【図１】
2004231314.tif 000003
【図２】
2004231314.tif 000004
【図３】
2004231314.tif 000005
【図４】
2004231314.tif 000006